(57)【特許請求の範囲】
【請求項１】
軸部のねじ部に続く下端部に切り刃先が形成され、コンクリート系スレート屋根材を貫通して下地材に締結するドリルねじにおいて、前記切り刃先に、軸部の軸心に関して点対称となる位置に切欠部によって一対の切削刃が形成され、各切削刃が下端に向かって下端近傍まで先窄まりに直線状に延びる直線状の切削刃と、該直線状の切削刃に接して円弧状に延びる円弧状の切削刃とからなり、円弧状の切削刃が、下端において他方の円弧状の切削刃と連続することにより、前記切削刃の切削面と向き合う側から見て前記切り刃先の下端が円弧状に形成されていることを特徴とするドリルねじ。
【発明の詳細な説明】
【技術分野】
【０００１】
この発明は、金物等を屋根材を貫通して下地材に締結するドリルねじに関するものである。
【背景技術】
【０００２】
従来より、木造家屋等の屋根材として、コンクリート系スレート屋根材が使用されている。このような屋根材を改修する場合、屋根材を剥ぎ取らずにその上から新しい屋根材を葺設する工法を採用することが多い。この工法を採用する場合は、新しい屋根材を取り付けるためのタイトフレーム等の金物をドリルねじを利用して既設の屋根材を貫通して下地木材に締結する必要がある。
【０００３】
このようなドリルねじとしては、ねじ先がとがり先に形成されたドリリングタッピンねじ（ＪＩＳＢ１１２５参照）や、ねじ先が切り刃先に形成されたドリルねじ（ＪＩＳＢ１１２４参照）が知られている。このドリルねじの切り刃先は、下端に一点のポイントを持ち、ポイント位置から左右に１００〜１１０度の角度で拡がる切削刃と、ねじ径よりも若干小さい位置でねじの軸心と平行に形成された左右のサイド刃とを備えており、切削刃とサイド刃とが交差する左右各端に刃面（肩）が形成されている。
【０００４】
また、ドリルねじとして、特許文献１に示すように、ねじ先の切り刃先を、母線の傾斜が異なる２つの半円錐を軸と基端の位置とを合わせる一方、先端の位置をずらして貼り合わせた形状に形成し、２つの半円錐の先端をずらして形成された段部の端縁に切り刃を形成したものも知られている。
【先行技術文献】
【特許文献】
【０００５】
【特許文献１】実用新案登録第３０２８０２４号公報
【発明の概要】
【発明が解決しようとする課題】
【０００６】
ところで、古いコンクリート系スレート屋根材には、現在の屋根材と比較してセメントや砂が多く含まれている関係で硬い性状を有している。このため、ドリルねじによって金物をコンクリート系スレート屋根材を貫通して下地木材に締結する場合、ドリルねじのとがり先の先端が屋根材を切削する過程で磨耗して丸くなり、屋根材を貫通させることができないという問題があった。また、切り刃先の場合は、屋根材の穴開け作業を行なうと、セメントや砂によって切削刃や左右両側の刃面（肩）が速やかに摩耗して切削できなくなる他、摩擦熱によって刃先が溶けることもあった。
【０００７】
また、特許文献１のドリルねじにおいては、切り刃の鋭利な先端が屋根材のセメントや砂によって摩耗し易く、早晩切り刃としての機能を失うものとなる。しかも、切削することのできる切り刃は、回転方向において屋根材と対面する側の片刃のみであり、両刃に比較して切削性能は低いものである。
【０００８】
本発明は、このような問題点に鑑みてなされたもので、硬い素材からなる屋根材であっても、切り刃先としての機能を安定的に維持し、確実に屋根材を貫通して下地木材に締結することのできるドリルねじを提供するものである。
【課題を解決するための手段】
【０００９】
本発明は、軸部のねじ部に続く下端部に切り刃先が形成され、コンクリート系スレート屋根材を貫通して下地材に締結するドリルねじにおいて、前記切り刃先に、軸部の軸心に関して点対称となる位置に切欠部によって一対の切削刃が形成され、各切削刃が下端に向かって下端近傍まで先窄まりに直線状に延びる直線状の切削刃と、該直線状の切削刃に接して円弧状に延びる円弧状の切削刃とからなり、円弧状の切削刃が、下端において他方の円弧状の切削刃と連続することにより、前記切削刃の切削面と向き合う側から見て前記切り刃先の下端が円弧状に形成されていることを特徴とするものである。
【００１０】
本発明によれば、ドリルねじにおける軸部の下端部に形成された切り刃先は、軸部の軸心に関して点対称となる位置に切欠部が下端まで形成されることによって、下端に向かって下端近傍まで先窄まりに直線状に延びる直線状の切削刃と、該直線状の切削刃に接して円弧状に延びるとともに、下端において他方の円弧状の切り刃と連続する円弧状の切削刃とからなる一対の切削刃を有している。これにより、ドリルねじの下端を屋根材に接触させて穴開け作業を開始すると、下端から延びる一対の円弧状の切削刃がその回転形状に沿うように屋根材を切削する。ここで、硬い素材からなる屋根材を切削することにより、円弧状の切削刃の外周縁の一部が摩耗したとしても、切欠部による円弧状の切削刃が軸心方向に向かって存在する限り、切削能力は喪失せず、屋根材に対する穴開け作業を継続することができる。
【００１１】
この結果、硬い素材からなる屋根材であっても、切削刃としての機能を安定的に維持することができ、確実に屋根材を貫通して下地木材に締結することができる。
【発明の効果】
【００１２】
本発明によれば、硬い素材からなる屋根材であっても、切り刃先としての機能を安定的に維持し、確実に屋根材を貫通して下地木材に締結することができる。
【図面の簡単な説明】
【００１３】
【図１】本発明のドリルねじの一実施形態を示す正面図である。
【図２】図１のドリルねじの切り刃先の拡大図である。
【図３】図２の切り刃先の底面図である。
【図４】図２のＡ−Ａ線断面図である。
【発明を実施するための形態】
【００１４】
以下、本発明の実施の形態を図面に基づいて説明する。
【００１５】
図１乃至図４には、本発明のドリルねじ１の一実施形態が示されている。
【００１６】
このドリルねじ１は、頭部２及び軸部３からなり、頭部２は、略なべ状に形成されるとともに、十字穴が形成されている。そして、ドリルねじ１の軸部３には、頭部２近傍の上部から下端部を残す設定長さにわたってねじ部４が形成され、ねじ部４に続いてその下端部に切り刃先５が形成されている。
【００１７】
この切り刃先５は、軸部３の軸心に関して点対称となる位置に切欠部６をその断面積が下端に向かって徐々に減少するように下端部全体にわたって形成することによる一対の切削刃７を有している。そして、各切削刃７は、下端に向かって下端近傍まで先窄まりに直線状に延びる直線状の切削刃８と、この直線状の切削刃８に接して円弧状に延びる円弧状の切削刃９とからなり、下端において他方の円弧状の切削刃９と連続するように形成されている。すなわち、直線状の切削刃８と円弧状の切削刃９は、接線を共有して連続するように形成され、また、一対の円弧状の切削刃９は、その下端部において交点を有して互いに連続するように形成されている。さらに、各切削刃７の切削面（すくい面）は、図３及び図４に示すように、軸心を通過する水平面に対して回転方向に向かって若干傾斜したすくい角を有している。
【００１８】
このように構成されたドリルねじ１を用いて屋根材を貫通して下地材に締結する場合について説明する。
【００１９】
ドリルねじ１の下端を屋根材に接触させて穴開け作業を行なうと、下端から延びる一対の円弧状の切削刃９がその回転形状に沿うように屋根材を切削する。ここで、屋根材が砂やセメントを多く含む硬い素材から形成されているときには、円弧状の切削刃９の、屋根材と接触して切削する外周縁の一部が摩耗することは避けられない。しかしながら、屋根材を切削することによって円弧状の切削刃９の外周縁の一部が摩耗したとしても、切欠部６による円弧状の切削刃９が軸心方向に向かって残されている場合には、切削機能が失われることはなく、切削作業を継続することができる。
【００２０】
換言すれば、硬い素材からなる屋根材を切削する場合、初期の切削を実行する切削刃が丸く摩耗して小さくなることを避けることができないことを想定して、予め円弧状の切削刃９を切欠部６によって軸心方向に向かって一定長さ確保するように設計されているものである。
【００２１】
これにより、硬い素材からなる屋根材であっても、一対の円弧状の切削刃９は、確実に屋根材を切削して貫通させることができる。しかも、両刃によって効率よく切削することができる。
【００２２】
一方、円弧状の切削刃９が屋根材を貫通すると、円弧状の切削刃９に連続する、頭部２に向かって徐々に末広がりに延びる直線状の切削刃８が、円弧状の切削刃９による貫通穴の周縁を切削して拡径し、最終的に切り刃先５の外径に相当する内径の貫通穴を屋根材に形成する。そして、この屋根材の貫通穴を通してねじ部４を下地木材に導くとともに、切削刃７によって下地木材に形成された下穴にねじ部４をねじ込んで締結することができる。この際、切削刃７が硬い素材からなる屋根材を切削することで、その外周縁の一部が摩耗し、径が小さくなったとしても、その分下地木材に対するねじ込み性能を向上させるものとなる。
【００２３】
これらのことを具体的に説明すると、従来のドリルねじのとがり先や切り刃先では、硬い素材からなる１枚の屋根材を切削する場合、磨耗によって刃先が変形し、あるいは、摩擦熱によって焼けて溶け、貫通させることができないのに対し、本発明のドリルねじ１においては、硬い素材からなる４〜５枚の屋根材を貫通させる能力を有するものである。
【符号の説明】
【００２４】
１  ドリルねじ
２  頭部
３  軸部
４  ねじ部
５  切り刃先
６  切欠部
７  切削刃
８  直線状の切削刃
９  円弧状の切削刃
【図１】
0005663467.tif 000002
【図２】
0005663467.tif 000003
【図３】
0005663467.tif 000004
【図４】
0005663467.tif 000005